(57)【特許請求の範囲】
【請求項１】
鉄道車両等の高所の出入口に設置して避難者を安全に搬送する脱出装置であって、前記出入口より地上へ到達する程度の長さと避難者を搬送できる程度の幅を有した柔軟性を有する滑走シートと、該滑走シートの両側縁に取付けられると共にインフレータの作動により拡張するエアチューブを長さ方向に沿って内装するか又はエアチューブそのものとして形成され且つ非膨張時には扁平な帯状となる一対の筒状側壁と、該夫々の筒状側壁の非膨張時における長さ方向の両端縁及び滑走シートの乗込口及び脱出口となる長さ方向の両端縁を連続して固定する一対の支持フレームと、前記滑走シートの長さ方向の両端縁から一定の距離をおいた内側に該滑走シートの上面に対して略平滑な滑走面を形成するように取付けられると共に前記支持フレームの上面を覆う保護板から成ることを特徴とする非常用脱出装置。
【請求項２】
前記筒状側壁の上面には長さ方向に沿って該筒状側壁と略同構造の上部筒状側壁が固着されると共に、少なくとも筒状側壁と上部筒状壁は、前記滑走シートの乗込口及び脱出口となる長さ方向の両端縁から内側の若干部分に非固着部を形成したことを特徴とする請求項１に記載の非常用脱出装置。
【請求項３】
上部筒状側壁の膨張時の断面の内径は、前記滑走シート上で滑走する避難者の荷重が最大に加わる位置においては他の位置の内径よりも大きくさせたことを特徴とする請求項２に記載の非常用脱出装置。
【請求項４】
前記滑走シートと筒状側壁は未使用状態の際にはロール状に折り畳まれ、前記筒状側壁を拡張させることで、収納状態からシュータ形状に展開されることを特徴とする請求項１乃至請求項３に記載の非常用脱出装置。
【請求項５】
前記支持フレームには、高所の出入口に近傍の所定の部位に取付固定させる係止具が設けられていることを特徴とする請求項１乃至請求項４に記載の非常用脱出装置
【請求項６】
前記滑走シート及び筒状側壁をロール状に折り畳むことで鞄へ収納したことを特徴とする請求項１乃至請求項４に記載の非常用脱出装置。
【発明の詳細な説明】
【技術分野】
【０００１】
本発明は、鉄道車両等の高所に位置する出入口に取付け、緊急時にエアの注入により瞬時に展開することで、避難者を安全に地上まで搬送する脱出シュータとなる非常用脱出装置に関するものである。
【背景技術】
【０００２】
従来より、飛行機等の極めて高所に出入口がある乗り物には、緊急時に脱出するシュートが設けられていることが知られている。これらは、ゴム材料などから成る滑走台であの両側に膨張可能なエアチューブを取付け、非常時に展開して用いる基本構成となっていると共に、強度を確保するために、滑走台の底部を複数のエアチューブで支持したり(特許文献１参照)、滑走台の全体を複数本のエアチューブで構成する(特許文献２参照)等の強靭な構成となっている。
【０００３】
一方、電車などの身の丈程度の高さの出入口には、その様な脱出装置が設けられていないのが現状であるが、最近では、車両火災や地震等の災害対策が注目されるようになり、弱者や体力のない人達でも、即座に安全に脱出でき、且つ、収納面からも簡易な構成の非常用脱出装置が望まれている。
【０００４】
上記に近い形態の非常用脱出装置として、ベランダ用の避難シュートが知られている(特許文献３参照)。
【特許文献１】特開昭５６−１３５３９７号公報
【特許文献２】特開２００１−１７１５９８号公報
【特許文献３】実開平３−６０９６４号公報
【発明の概要】
【発明が解決しようとする課題】
【０００５】
ところが、上記の避難シュートでは、展開のスムーズさを想定してエアチューブをコ字状に形成しているために、脱出口に壁面ができてしまい、そのため脱出時に足が引っ掛かる等の危険性があった。
【課題を解決するための手段】
【０００６】
本装置は、前記に鑑みて発明されたものであり、鉄道車両等の高所の出入口に設置して、インフレータを使用して瞬時に展開できる非常用脱出装置である。
【０００７】
本発明の非常用脱出装置は、鉄道車両等の高所の出入口に設置して避難者を安全に搬送する脱出装置であって、上記の課題を解決するために、出入口より地上へ到達する程度の長さと避難者を搬送できる程度の幅を有した柔軟性を有する滑走シートと、該滑走シートの両側縁に取付けられると共にインフレータの作動により拡張するエアチューブを長さ方向に沿って内装するか又はエアチューブそのものとして形成され且つ非膨張時には扁平な帯状となる一対の筒状側壁と、該夫々の筒状側壁の非膨張時における長さ方向の両端縁及び滑走シートの乗込口及び脱出口となる長さ方向の両端縁を連続して固定する一対の支持フレームと、前記滑走シートの長さ方向の両端縁から一定の距離をおいた内側に該滑走シートの上面に対して略平滑な滑走面を形成するように取付けられると共に前記支持フレームの上面を覆う保護板から成ることを特徴としている。
【０００８】
上記の構成により、緊急時には、インフレータを作動させて筒状側壁を膨張させ、高所の出入口から地上へと展開させて使用する。そして、円滑な避難者の滑走経路を形成する。
【０００９】
前記筒状側壁の上面には長さ方向に沿って該筒状側壁と略同構造の上部筒状側壁が固着されると共に、少なくとも筒状側壁と上部筒状壁は、前記滑走シートの乗込口及び脱出口となる長さ方向の両端縁から内側の若干部分に非固着部を形成している。
【００１０】
上記の構成により、上部筒状壁は下部となる筒状側壁の膨張形状に左右されないので、脱出口付近において十分な高さを確保できる。
【００１１】
また、上部筒状側壁の膨張時の断面の内径は、前記滑走シート上で滑走する避難者の荷重が最大に加わる位置においては他の位置の内径よりも大きくさせている。
【００１２】
上記の構成により、高所の出入口から地上へは、直線状の傾斜で滑走経路を形成する。
【００１３】
前記滑走シートと筒状側壁は未使用状態の際にはロール状に折り畳まれ、前記筒状側壁を拡張させることで、収納状態からシュータ形状に展開され、また、前記支持フレームには、高所の出入口近傍の所定の部位に取付固定させる係止具が設けられる。また、前記滑走シート及び筒状側壁をロール状に折り畳むことで鞄へ収納することができる。
【００１４】
上記の構成により、本発明の脱出装置が意図する、鉄道車両などの出入口の空間においても、余分な空間を占有することなく、配置が可能となる。
【発明の効果】
【００１５】
本発明は、上記の如く構成したので、鉄道車両などの出入口において、余分な空間を占有することなく、設備の配置が可能であり、緊急時には、鞄等から取り出して、適宜な場所へと取付け、次いで、インフレータを作動させて膨張させるだけで良く、極めて簡単な操作で、高所の出入口から地上へと脱出ルートを形成できる。
【００１６】
また、その際、円滑な避難者の滑走経路を形成するだけでなく、十分な高さの側壁を形成することから、脱出する人に安心感を与えると共に、とりわけ、脱出口付近においては、十分な高さの側壁で安心感を与えるだけでなく、障害となる構造を排除して、極めて安全に避難者を脱出させることが可能である。
【図面の簡単な説明】
【００１７】
【図１】本発明の非常用脱出装置の第１実施例の外観図である。
【図２】本発明の非常用脱出装置の第１実施例の保護板を取り外した状態での外観図である。
【図３】本発明の非常用脱出装置の第１実施例の左側面図である。
【図４】本発明の非常用脱出装置の第１実施例の右側面図である。
【図５】本発明の非常用脱出装置の第１実施例の筒状側壁と上部筒状側壁の接合方法の一例を説明するための概要図である。
【図６】本発明の非常用脱出装置の第１実施例の外観を示す裏面図である。
【図７】本発明の非常用脱出装置の第１実施例の筒状側壁と上部筒状側壁の乗入口側の膨張状態を示す説明図である。
【図８】本発明の非常用脱出装置の第１実施例の筒状側壁と上部筒状側壁の脱出口側の膨張状態を示す説明図である。
【図９】本発明の非常用脱出装置の折り畳時の外観図である。
【図１０】本発明の非常用脱出装置の収納時の外観図である。
【図１１】本発明の非常用脱出装置の第２実施例の外観図である。
【図１２】本発明の非常用脱出装置の第２実施例の実施例の保護板を取り外した状態での外観図である。
【図１３】本発明の非常用脱出装置の第２実施例の実施例の左側面図である。
【図１４】本発明の非常用脱出装置の第２実施例の実施例の右側面図である。
【図１５】本発明の非常用脱出装置の第２実施例の実施例の筒状側壁と上部筒状側壁の接合方法の一例を説明するための概要図である。
【図１６】本発明の非常用脱出装置の第２実施例の実施例の外観を示す裏面図である。
【図１７】本発明の非常用脱出装置の第２実施例の実施例の筒状側壁と上部筒状側壁の乗入口側の膨張状態を示す説明図である。
【図１８】本発明の非常用脱出装置の第２実施例の実施例の筒状側壁と上部筒状側壁の脱出口側の膨張状態を示す説明図である。
【発明を実施するための最良の形態】
【００１８】
以下、本発明の非常用脱出装置の実施の形態を添付する図面により説明する。
【実施例１】
【００１９】
本発明は、各図に図示の如く、鉄道車両等の高所の出入口に設置して避難者を安全に搬送する非常用脱出装置１を開示するものであり、本発明の第１実施例は、図１乃至図８に図示の通り、エアチューブが略全体的に同径の構造であり、第２実施例は、図１１乃至図１８に図示の通り、部分的に拡径した構造となっている。図９乃至図１０は、各実施例の共通の構成となっている。
【００２０】
本発明の非常用脱出装置１は、図１に図示の通り、高所の出入口より地上へ到達する程度の長さと避難者を搬送できる程度の幅を有した柔軟性を有する滑走シート２の両側縁に筒状側壁３(５)等を取付けた構成となっている。
【００２１】
前記筒状側壁３は、エアが注入されていない非膨張時には扁平な帯状を呈する。この構造は、周知の構造であるが、主に二つの構造を採用することが可能である。即ち、非膨張時には扁平な帯状で且つ筒状である外被内にインフレータの作動により拡張する合成樹脂製のエアチューブを長さ方向に沿って内装したものか、または、外被そのものに気密性のある素材を利用して、非膨張時には扁平な帯状で且つ内部を中空になる様に筒状に溶着させてエアチューブそのものとして形成する。
【００２２】
本発明の各実施例の図面では、主に外被自体をエアチューブとして形成した構成を採用しており、エアチューブそのものとして形成された筒状側壁３の端部付近にエアの吸排口を形成してインフレータを接続している。
【００２３】
前記筒状側壁３は、図１及び図２に図示の通り、左右一対を使用し、非膨張時における長さ方向の両端縁３ａ、より詳細には、エアチューブとして機能しない溶着端部分を適宜の幅で設け、この部分を、図６に図示の如く、Ｌ字型の支持フレーム４の左右の端部に溶接やボルトナットで確りと取付ける。
【００２４】
前記滑走シート２は、強靭な一枚の基布やまたはそれ等を縫製したものから成り、前記滑走シート２の端縁２ａと筒状側壁３の端縁３ａとを略一直線上に連ねて且つ連続して隙間が生じない様に、前記筒状側壁３の端縁３ａと同様に支持フレーム４に固定する。
【００２５】
尚、前記支持フレーム４は、アルミニウム等の金属製のＬ字フレーム等から成り、乗込口側と脱出口側の二か所に設けられる。
【００２６】
前記滑走シート２の長さ方向の両端縁２ａから所定の距離をおいた内側には、該滑走シート２の上面に対して平滑な滑走面を形成するように保護板６が取付けられる。この保護板６は、柔軟でやや厚みのある緩衝構造のシート材であり、前記支持フレーム４の上面を覆いつつ、図１に図示の通り、乗込口と脱出口の外側に向けてやや突出させて取付けられる。即ち、これ等の保護板６は、筒状側壁３を膨張させて展開した状態で、乗込口側の支持フレーム４に、直接、避難者を接触させずに滑走シート２へ乗り込める構造を実現したものであり、一方、脱出口側では、滑走する避難者に過度の抵抗を与えることなく、且つ、支持フレーム４に、直接、避難者を接触させずに脱出させる構造を実現したものであり、円滑な避難者の滑走経路を形成している。
【００２７】
本発明は、図示の如く、更に前記筒状側壁３の上面に長さ方向に沿って該筒状側壁３と略同構造の上部筒状側壁５を固着さている。図５は、それぞれの固着の例を示しており、図中の左側は上部筒状側壁５の底面を示し、右側は下部と成る筒状側壁３の上面を示している。下部と成る筒状側壁３には長さ方向に沿って且つ所定の間隔を空けた二本の線上に所定幅の面ファスナを溶着し、これと対向する上部筒状側壁５にも同様の面ファスナを溶着し、筒状側壁３と上部筒状側壁５とを重ね併せて固着する。
【００２８】
本発明の特徴として、前記筒状側壁３と上部筒状壁５は、前記滑走シート２の乗込口及び脱出口となる長さ方向の両端縁から内側の若干部分に非固着部Ｆを形成している。図７では、脱出口側の非固着部Ｆを表示している。前述の通り、筒状側壁３の端縁３ａは、支持フレーム４に対して確りと固着されているので、図８に図示の通り、膨張時には先端部分は、支持フレーム４に対して上方向に半円上に膨張するため、滑走シート２の上面から起算した筒状側壁３の高さは、筒状側壁３の長さ方向の中央辺の高さと比較すると低くなる。このため、前記筒状側壁３と上部筒状壁５を端部まで確りと固定した場合には、上部筒状壁５が膨張しても十分な高さを確保できないが、本発明の構成により、上部筒状壁５は下部となる筒状側壁５の膨張形状に左右されないので、脱出口付近において十分な高さを確保できる。
【００２９】
図１１乃至図１８は、本発明の第２実施例を示している。この実施例では、上部筒状側壁５の膨張時の断面の内径を、前記滑走シート上で滑走する避難者の荷重が最大に加わる位置において他の位置の内径よりも大きくさせている。
【００３０】
これは、設置する高さと筒状側壁３の強度との関係に依存するが、ある程度の低所で且つ一般的な素材を筒状側壁３に用いた場合でも、滑走シート２に避難者の荷重が加わると、ほぼ避難者の落下程度の部位に対して、通常は、滑走シート２上の脱出口側にやや偏った位置に避難者の荷重が最大に加わるためであり、単に同心円状に筒状側壁３を形成した場合には、その位置で屈曲が生じてしまう。
【００３１】
本発明は、上記の構成により、屈曲が生じると予測される位置のエア量を多くして、屈曲を防止し、高所の出入口から地上に対して、避難者の滑走時に略直線状の傾斜で滑走経路を形成する。
【００３２】
上記の如く構成された本発明の非常用脱出装置１は、図９及び図１０に図示の通り、前記滑走シート２と筒状側壁３を未使用状態の際にはロール状に折り畳み鞄８へ収納して保管する。この構成により、本発明の脱出装置１が意図する、鉄道車両などの出入口の空間においても、余分な空間を占有することなく、配置が可能となる。
【００３３】
本発明の非常用脱出装置１を使用するには、図１０の収納状態から、図９の状態で取り出し、一方の支持フレーム４側に設けた係止具７を鉄道車両の出入口の適宜な個所に係止する。次いで、出入口の底部に保護板６を載置させつつ、他方の支持フレーム４を地上に向けて投下する方向に向ける。
【００３４】
次に、各インフレータを作動させると、筒状側壁３と上部筒状側壁５内のエアチューブ(一体化されている場合は筒状側壁自体)は、略同時的に膨張するので、筒状側壁３の膨張により滑走シート２が下方向に展開しながら、上部側壁５も膨張して立ち上がり、図１１及び図１２の様なシュータ形状に瞬時に展開される。
【００３５】
尚、本発明の非常用脱出装置１は、未使用時にはエアが抜かれ、前記滑走シート２及び筒状側壁３及び上部筒状側壁５をロール状に折り畳むことで鞄８へ再び収納する。
【産業上の利用可能性】
【００３６】
本発明の非常用脱出装置１は、鉄道車両等の出入口に設置して、インフレータを使用して瞬時に展開できる脱出装置であり、操作も単純であることから、例えば、戸建ての２階等の他の類似の高所にも使用できる等の応用範囲が広く、また、大きな収納空間を必要としないので、設備投資も不要である。
【符号の説明】
【００３７】
１  脱出装置
２  滑走シート
２ａ  端縁
３  筒状側壁
３ａ  端縁
４  支持フレーム
５  上部筒状側壁
６  保護板
７  係止具
Ｆ  非固着部
【図１】
0006649196.tif 000002
【図２】
0006649196.tif 000003
【図３】
0006649196.tif 000004
【図４】
0006649196.tif 000005
【図５】
0006649196.tif 000006
【図６】
0006649196.tif 000007
【図７】
0006649196.tif 000008
【図８】
0006649196.tif 000009
【図９】
0006649196.tif 000010
【図１０】
0006649196.tif 000011
【図１１】
0006649196.tif 000012
【図１２】
0006649196.tif 000013
【図１３】
0006649196.tif 000014
【図１４】
0006649196.tif 000015
【図１５】
0006649196.tif 000016
【図１６】
0006649196.tif 000017
【図１７】
0006649196.tif 000018
【図１８】
0006649196.tif 000019